(57)【特許請求の範囲】
【請求項１】
薬剤拡散器具１と、この薬剤拡散器具１を身体に装着する着用具２を備え、
前記薬剤拡散器具１は、器具本体３とファン４と薬剤５を備え、そのファン４の回転によって吸込口６からの空気が薬剤５に触れて薬剤を揮散し、その薬剤を含む空気が吐出口７から放出されて薬剤を拡散するものとし、
前記器具本体３は、着用具２を備えた裏面側の本体８と、この本体８に設けた表面側のカバー体９とで空洞部３ａを形成し、その本体８は裏面に開口し、かつ開口部８ｄで空洞部３ａに連通した凹陥部８ｂを有し、カバー体９は空洞部３ａに連通した吸込口６、吐出口７を有し、
前記ファン４は空洞部３ａ内に回転自在に設けられ、前記薬剤５はカバー体９に取り付けられ、
前記凹陥部８ｂと空洞部３ａとに亘ってケーシング４０を開口部８ｄを挿通して設け、
このケーシング４０内に、その器具本体３の動作で往復回転する回転錘１０と、この回転錘１０の往復回転を出力軸２７の同一方向の回転として伝える回転伝達機構２０を、前記回転錘１０が凹陥部８ａ内で、出力軸２７が空洞部３ａに突出して設け、
前記出力軸２７にゼンマイ支持軸３１を摩擦クラッチ３３を介して連結し、
このゼンマイ支持軸３１にゼンマイ３０の一端部３０ａを固定し、他端部３０ｂを回転体３２に固定し、
前記回転体３２は、ゼンマイ巻き取り方向には回転不能で、巻き戻し方向には回転可能とし、
この回転体３２でファン４を回転するようにしたことを特徴とする着用型薬剤拡散装置。
【請求項２】
薬剤拡散器具１と、この薬剤拡散器具１を身体に装着する着用具２を備え、
前記薬剤拡散器具１は、空洞部３ａを有した器具本体３と、その空洞部３ａに設けた回転部材と、その回転部材に設けた薬剤５を備え、その回転部材の回転によって前記空洞部３ａ内の空気が撹拌されて薬剤５に触れて薬剤を揮散し、その薬剤を含む空気が吸込口６、吐出口７から放出されて薬剤を拡散するものとし、
前記器具本体３は、着用具２を備えた裏面側の本体８と、この本体８に設けた表面側のカバー体９とで空洞部３ａを形成し、その本体８は裏面に開口し、かつ開口部８ｄで空洞部３ａに連通した凹陥部８ｂを有し、カバー体９は空洞部３ａに連通した吸込口６、吐出口７を有し、
前記凹陥部８ｂと空洞部３ａとに亘ってケーシング４０を開口部８ｄを挿通して設け、
このケーシング４０内に、その器具本体３の動作で往復回転する回転錘１０と、この回転錘１０の往復回転を出力軸２７の同一方向の回転として伝える回転伝達機構２０を、前記回転錘１０が凹陥部８ａ内で、出力軸２７が空洞部３ａに突出して設け、
前記出力軸２７にゼンマイ支持軸３１を摩擦クラッチ３３を介して連結し、
このゼンマイ支持軸３１にゼンマイ３０の一端部３０ａを固定し、他端部３０ｂを回転体３２に固定し、
前記回転体３２は、ゼンマイ巻き取り方向には回転不能で、巻き戻し方向には回転可能とし、
この回転体３２で回転部材を回転するようにしたことを特徴とする着用型薬剤拡散装置。
【請求項３】
薬剤拡散器具１と、この薬剤拡散器具１を身体に装着する着用具２を備え、
前記薬剤拡散器具１は、着用具２を備えた裏面側の本体８に表面側のカバー体９を回転自在に設けて空洞部３ａを有した器具本体３と、その空洞部３ａに設けた薬剤５を備え、そのカバー体９の回転によって空洞部３ａ内の空気が撹拌されて薬剤５に触れて薬剤を揮散し、その薬剤を含む空気が吸込口６、吐出口７から放出されて薬剤を拡散するものとし、
前記本体８は裏面に開口し、かつ開口部８ｄで空洞部３ａに連通した凹陥部８ｂを有し、カバー体９は空洞部３ａに連通した吸込口６、吐出口７を有し、
前記凹陥部８ｂと空洞部３ａとに亘ってケーシング４０を開口部８ｄを挿通して設け、
このケーシング４０内に、その器具本体３の動作で往復回転する回転錘１０と、この回転錘１０の往復回転を出力軸２７の同一方向の回転として伝える回転伝達機構２０を、前記回転錘１０が凹陥部８ａ内で、出力軸２７が空洞部３ａに突出して設け、
前記出力軸２７にゼンマイ支持軸３１を摩擦クラッチ３３を介して連結し、
このゼンマイ支持軸３１にゼンマイ３０の一端部３０ａを固定し、他端部３０ｂを回転体３２に固定し、
前記回転体３２は、ゼンマイ巻き取り方向には回転不能で、巻き戻し方向には回転可能とし、
この回転体３２でカバー体９を回転するようにしたことを特徴とする着用型薬剤拡散装置。
【請求項４】
回転伝達機構２０は、その出力軸２７の中心と回転錘１０の回転中心が同一となるようにし、その出力軸２７を中心としてファン４又は回転部材又はカバー体９が回転するようにした請求項１〜３いずれか１項に記載の着用型薬剤拡散装置。
【発明の詳細な説明】
【技術分野】
【０００１】
本発明は、人間、家畜やペット等の動物などの身体に着用して、殺虫剤、忌避剤、芳香剤、消臭剤、除菌剤などの揮散性の薬剤を身体の周囲に拡散し、人間などの身体の周りに寄る害虫を避けたり、香りでリラックスしたりする着用型薬剤拡散装置に関する。
【背景技術】
【０００２】
特許文献１に着用型の薬剤拡散装置が開示されている。
この装置は、本体内にモータでファンを回転する送風機と薬剤保持体と電池を設けて送風機を駆動することで吸込口から放出口に空気が流通し、その空気が薬剤保持体に触れて薬剤を強制揮散し、その揮散した薬剤を、放出口から放出される空気とともに大気に拡散される装置本体と、この装置本体に取付けた着用バンドを備え、その着用バンドによって装置本体を人体、動物の体などの身体に着用できる。
【０００３】
【特許文献１】特開２００４−２４１６１号公報
【発明の開示】
【発明が解決しようとする課題】
【０００４】
前述した従来の装置は、モータでファンを回転する送風機と、そのモータ用の電源となる電池を備えているので、そのモータ、電池のために重量が重く、装置本体が大きいから、身体に着用して使用する装置としては好ましくはない。
【０００５】
また、電源として電池が使用され、電池は寿命がくると交換しなければならず、その交換作業の面倒さ、また費用もかかり経済的でない。また、寿命がきた電池はゴミとして廃棄処理問題がある。さらに電池は有害ゴミとなり環境問題を発生させる。
【０００６】
前述のことを解決するには、送風機を使用せずに薬剤保持体から薬剤を自然揮散させ、モータ、電池を必要としないようにすれば良い。
しかし、前述のように薬剤保持体から薬剤を自然揮散するだけでは、その薬剤の揮散量が少なく、実用的ではない。
【０００７】
そこで、前述の従来の装置において、モータ、電池を使用せずに、ファンを回転自在とし、身体の動きで装置本体を動作、例えば振るなどしてファンを回転させることが考えられるが、このようにしてファンを回転させるのでは、振る方向やタイミング等によって回転が弱いか、回転しないことがあり、ファンの回転の確実性に欠ける。
【０００８】
本発明の目的は、モータ、電池を使用せずに多くの薬剤を確実に揮散することができる着用型薬剤拡散装置を提供することである。
【課題を解決するための手段】
【０００９】
本発明は、薬剤拡散器具１と、この薬剤拡散器具１を身体に装着する着用具２を備え、
前記薬剤拡散器具１は、器具本体３とファン４と薬剤５を備え、そのファン４の回転によって吸込口６からの空気が薬剤５に触れて薬剤を揮散し、その薬剤を含む空気が吐出口７から放出されて薬剤を拡散するものとし、
前記器具本体３は、着用具２を備えた裏面側の本体８と、この本体８に設けた表面側のカバー体９とで空洞部３ａを形成し、その本体８は裏面に開口し、かつ開口部８ｄで空洞部３ａに連通した凹陥部８ｂを有し、カバー体９は空洞部３ａに連通した吸込口６、吐出口７を有し、
前記ファン４は空洞部３ａ内に回転自在に設けられ、前記薬剤５はカバー体９に取り付けられ、
前記凹陥部８ｂと空洞部３ａとに亘ってケーシング４０を開口部８ｄを挿通して設け、
このケーシング４０内に、その器具本体３の動作で往復回転する回転錘１０と、この回転錘１０の往復回転を出力軸２７の同一方向の回転として伝える回転伝達機構２０を、前記回転錘１０が凹陥部８ａ内で、出力軸２７が空洞部３ａに突出して設け、
前記出力軸２７にゼンマイ支持軸３１を摩擦クラッチ３３を介して連結し、
このゼンマイ支持軸３１にゼンマイ３０の一端部３０ａを固定し、他端部３０ｂを回転体３２に固定し、
前記回転体３２は、ゼンマイ巻き取り方向には回転不能で、巻き戻し方向には回転可能とし、
この回転体３２でファン４を回転するようにしたことを特徴とする着用型薬剤拡散装置である。
【００１０】
本発明は、薬剤拡散器具１と、この薬剤拡散器具１を身体に装着する着用具２を備え、
前記薬剤拡散器具１は、空洞部３ａを有した器具本体３と、その空洞部３ａに設けた回転部材と、その回転部材に設けた薬剤５を備え、その回転部材の回転によって前記空洞部３ａ内の空気が撹拌されて薬剤５に触れて薬剤を揮散し、その薬剤を含む空気が吸込口６、吐出口７から放出されて薬剤を拡散するものとし、
前記器具本体３は、着用具２を備えた裏面側の本体８と、この本体８に設けた表面側のカバー体９とで空洞部３ａを形成し、その本体８は裏面に開口し、かつ開口部８ｄで空洞部３ａに連通した凹陥部８ｂを有し、カバー体９は空洞部３ａに連通した吸込口６、吐出口７を有し、
前記凹陥部８ｂと空洞部３ａとに亘ってケーシング４０を開口部８ｄを挿通して設け、
このケーシング４０内に、その器具本体３の動作で往復回転する回転錘１０と、この回転錘１０の往復回転を出力軸２７の同一方向の回転として伝える回転伝達機構２０を、前記回転錘１０が凹陥部８ａ内で、出力軸２７が空洞部３ａに突出して設け、
前記出力軸２７にゼンマイ支持軸３１を摩擦クラッチ３３を介して連結し、
このゼンマイ支持軸３１にゼンマイ３０の一端部３０ａを固定し、他端部３０ｂを回転体３２に固定し、
前記回転体３２は、ゼンマイ巻き取り方向には回転不能で、巻き戻し方向には回転可能とし、
この回転体３２で回転部材を回転するようにすることができる。
【００１１】
本発明は、薬剤拡散器具１と、この薬剤拡散器具１を身体に装着する着用具２を備え、
前記薬剤拡散器具１は、着用具２を備えた裏面側の本体８に表面側のカバー体９を回転自在に設けて空洞部３ａを有した器具本体３と、その空洞部３ａに設けた薬剤５を備え、そのカバー体９の回転によって空洞部３ａ内の空気が撹拌されて薬剤５に触れて薬剤を揮散し、その薬剤を含む空気が吸込口６、吐出口７から放出されて薬剤を拡散するものとし、
前記本体８は裏面に開口し、かつ開口部８ｄで空洞部３ａに連通した凹陥部８ｂを有し、カバー体９は空洞部３ａに連通した吸込口６、吐出口７を有し、
前記凹陥部８ｂと空洞部３ａとに亘ってケーシング４０を開口部８ｄを挿通して設け、
このケーシング４０内に、その器具本体３の動作で往復回転する回転錘１０と、この回転錘１０の往復回転を出力軸２７の同一方向の回転として伝える回転伝達機構２０を、前記回転錘１０が凹陥部８ａ内で、出力軸２７が空洞部３ａに突出して設け、
前記出力軸２７にゼンマイ支持軸３１を摩擦クラッチ３３を介して連結し、
このゼンマイ支持軸３１にゼンマイ３０の一端部３０ａを固定し、他端部３０ｂを回転体３２に固定し、
前記回転体３２は、ゼンマイ巻き取り方向には回転不能で、巻き戻し方向には回転可能とし、
この回転体３２でカバー体９を回転するようにすることもできる。
【００１４】
本発明においては、回転伝達機構２０は、その出力軸２７の中心と回転錘１０の回転中心が同一となるようにし、その出力軸２７を中心としてファン４又は回転部材又はカバー体９が回転するようにすることが好ましい。
【００１５】
このようにすれば、回転錘１０の回転中心とファン４、回転部材、カバー体９の回転中心が同一であるから、その回転錘１０とファン４、回転体、カバー体９が重なり合うようにでき、器具本体３を強固なものとすることができると共に、コンパクトにできる。
また、後述する回転錘１０の性状と共に、回転錘１０の径を大きくできることから回転錘１０の重心の位置が回転錘１０の回転中心から外周側へ離れた箇所となり、遠心力を得るのがより容易となる。また、長期に亘る回転錘１０や、ファン４などの回転による回転伝達機構２０への負担が軽減される。
さらに、ファン４などを占有する空間が形成しやすい構造にすることができる。
【発明の効果】
【００１８】
本発明によれば、回転錘１０の回転でゼンマイ３０を巻き取り、そのゼンマイ３０の巻き戻りでファン４又は回転部材又はカバー体９を回転するので、モータ、電池を使用せずに多くの薬剤を確実に揮散することができる。
また、回転伝達機構２０は、回転錘１０の往復回転を出力軸２７の同一方向の回転として伝えるので、回転錘１０の往復回転によってゼンマイ３０を巻き取りできる。
また、ゼンマイ３０の一端部３０ａをゼンマイ支持軸３１に固定し、他端部３０ｂを回転体３２に固定し、前記ゼンマイ支持軸３１を摩擦クラッチ３３を介して出力軸２７に連結し、
前記回転体３２は、ゼンマイ巻き取り方向には回転不能で、巻き戻し方向には回転可能とし、この回転体３２でファン４又は回転部材又はカバー体９が回転するようにしたので、ゼンマイ３０が巻き戻る時にゼンマイ支持軸３１と出力軸２７が相対的に回転することができるので、ゼンマイ３０が巻き戻り終了後にゼンマイ３０とともに回転体３２、ファン４又は回転部材又はカバー体９が慣性力で回転することができる。
【発明を実施するための最良の形態】
【００１９】
図１に示すように、薬剤拡散器具１と、この薬剤拡散器具１を人間、動物などの身体に装着する着用具２で着用型薬剤拡散装置としてある。
前記薬剤拡散器具１は、器具本体３と、その器具本体３に設けたファン４、薬剤５等を備えている。図１において薬剤５は仮想線で図示してある。
前記器具本体３は吸込口６と吐出口７を有し、前記ファン４が回転することで、その吸込口６と吐出口７とに亘って空気が流れることで、前記薬剤５に空気が触れて強制揮散し、その揮散した薬剤を吐出口７から放出される空気とともに大気に拡散する。
【００２０】
前記着用具２は、身体に巻きつけて使用するものとしてある。
例えば、器具本体３に一側バンド２ａと他側バンド２ｂを設け、その一側バンド２ａと他側バンド２ｂに相互に係着、離脱する雄テープ片２ｃ、雌テープ片２ｄを取付ける。
そして、一側バンド２ａと他側バンド２ｂを身体（腕など）に巻きつけて雄テープ片２ｃと雌テープ片２ｄを係着することで取付けする。
前記一側バンド２ｄ、他側バンド２ｂは器具本体３にピン等を利用して回動自在に連結してあるが、器具本体３に一体的に設けても良い。
また、雄テープ片２ｃ、雌テープ片２ｄの代わりにバックルタイプとしても良い。
【００２１】
前記着用具２は、人間、動物などの身体に吊り下げて着用するものであっても良い。
例えば、器具本体３にフックを取付け、このフックを人間の腰のベルトに引っかけて吊り下げる。
【００２２】
前記器具本体３には、その器具本体３が動作することで、前記ファン４を回転するファン回転装置が設けてある。
このファン回転装置は、図２〜図４に示すように、回転錘１０、回転伝達機構２０、ゼンマイ３０等を備えている。
前記回転錘１０は器具本体３が動作、例えば身体の動きにより揺れ動き往復回転する。
前記回転伝達機構２０は、回転錘１０の回転をゼンマイ３０に伝え、そのゼンマイ３０を巻きつける。
前記ゼンマイ３０は、所定の状態まで巻きつけられると巻き戻り、その巻き戻りによってファン４を回転する。
【００２３】
このようであるから、身体に装着して使用する際に、その身体の動きによって回転錘１０が往復回転し、その回転によってゼンマイ３０を巻きつける。
そして、ゼンマイ３０が所定の状態まで巻きつけられると、そのゼンマイ３０が巻き戻り、ファン４が回転する。
【００２４】
したがって、回転錘１０の回転によってファン４を回転し、薬剤５に空気を触れて強制揮散し、その薬剤を吐出口７から空気とともに大気に拡散できるので、モータ、電池を使用せずに多くの薬剤を確実に拡散することができる。
【００２５】
しかも、ゼンマイ３０の巻き戻りでファン４を回転するので、回転錘１０の回転速度よりも速い速度でファン４を回転することができ、吸込口６と吐出口７とに亘って多くの空気を速い速度で流通させることで、より多くの薬剤を広い範囲に亘って拡散できる。
【００２６】
前記各部材の具体形状を説明する。
前記器具本体３は、本体８とカバー体９とで空洞部３ａを有している。
前記本体８は、その下面８ａに開口した凹陥部８ｂと、その凹陥部８ｂの底面８ｃに形成した開口部８ｄを有し、この開口部８ｄで凹陥部８ｂが空洞部３ａに開口連通している。
前記凹陥部８ｂの下面開口部は着脱自在な蓋８ｅで閉塞されている。
前記カバー体９は、周面板９ａと表面板９ｂを有し、その周面板９ａが本体８に嵌合して着脱自在に取付けられる。
前記表面板９ｂに吸込口６が形成され、周面板９ａに吐出口７が形成されている。
【００２７】
前記薬剤５は、リング体５ａに薬剤含浸体５ｂを設けたもので、そのリング体５ａを吸込口６に嵌合してカバー体９に取付けてある。
【００２８】
前記ファン回転装置はケーシング４０を備えている。
このケーシング４０は、前記凹陥部８ｂ内に挿入される基板４１と、この基板４１と一体的に設けられ、かつ前記開口部８ｄから空洞部３ａ内に突出する有底の筒体４２を有したケーシング本体４３と、このケーシング本体４３の基板４１に取付けた蓋板４４を備えている。
そして、基板４１と蓋板４４を凹陥部８ｂの底面８ｃにビス４５で固着して取付けられる。
【００２９】
前記回転錘１０は図３に示すように、円弧状の外周面１１と円弧状の内周面１２と一対の端面１３，１３で囲まれた平面ほぼ扇形状で、その内周面１２寄りに取付用孔１４を有している。
この取付用孔１４が器具本体３に対して固定された回転錘用軸１５、例えば前記ケーシング４０の蓋板４４に固定した回転錘用軸１５に軸受１６で回転自在に支承され、回転錘１０はスムーズに往復回転するようにケーシング４０に取付けてある。
【００３０】
前記回転伝達機構２０は、回転錘１０とともに回転し、かつ回転中心が回転錘１０の回転中心と同一の主歯車２１と、この主歯車２１とそれぞれ噛合した第１・第２下伝達歯車２２ａ，２３ａと、この第１・第２下伝達歯車２２ａ，２３ａと第１・第２爪クラッチ２４，２５を介して連結し、かつ相互に噛合している第１・第２上伝達歯車２２ｂ，２３ｂと、この第２上伝達歯車２３ｂとともに回転する出力歯車２６と、この出力歯車２６の回転を出力軸２７に伝える増速歯車対２８を有している。
前記第１下・上伝達歯車２２ａ，２２ｂは、ケーシング４０の筒体４２の上底壁４２ａに設けた第１軸２９ａに回転自在に取付けてある。
前記第２下・上伝達歯車２３ａ，２３ｂは、前記上底壁４２ａに設けた第２軸２９ｂに回転自在に取付けてある。
このように、回転伝達機構２０はケーシング４０内に設けてある。
【００３１】
次に、回転伝達機構２０の動作を説明する。なお、図３で実線の矢印ａで示す回転方向を一方向（時計方向）とし、点線の矢印ｂで示す回転方向を他方向（反時計方向）とする。
図３において、回転錘１０が一方向（矢印ａ方向）に回転した時。
図５（ａ）に示すように、主歯車２１が一方向に回転し、第１・第２下伝達歯車２２ａ，２３ａが他方向に回転する。
第１下伝達歯車２２ａの他方向の回転は第１爪クラッチ２４を介して第１上伝達歯車２２ｂに伝達され、第１上伝達歯車２２ｂは他方向に回転する。
第２下伝達歯車２３ａの他方向の回転は、第２爪クラッチ２５が滑ることで第２上伝達歯車２３ｂに伝達されない。
前述の第１上伝達歯車２２ｂの他方向の回転で第２上伝達歯車２３ｂが一方向に回転する。この第２上伝達歯車２３ｂの一方向の回転は第２クラッチ２５が滑ることで第２下伝達歯車２３ａには伝わらない。
これによって、出力歯車２６が一方向に回転する。
【００３２】
図３において、回転錘１０が他方向（矢印ｂ方向）に回転した時。
図５（ｂ）に示すように、主歯車２１が他方向に回転し、第１・第２下伝達歯車２２ａ，２３ａが一方向に回転する。
第１下伝達歯車２２ａの一方向の回転は第１爪クラッチ２４が滑ることで第１上伝達歯車２２ｂに伝達されない。
第２下伝達歯車２３ａの一方向の回転は、第２爪クラッチ２５を介して第２上伝達歯車２３ｂに伝達され、第２上伝達歯車２３ｂは一方向に回転する。
前述の第２上伝達歯車２３ｂの一方向の回転で第１上伝達歯車２２ｂが他方向に回転する。この第１上伝達歯車２２ｂの他方向の回転は第１爪クラッチ２４が滑ることで第１下伝達歯車２２ａには伝わらない。
これによって、出力歯車２６が一方向に回転する。
【００３３】
前述のように、出力歯車２６が一方向に回転することで、増速歯車対２８を介して出力軸２７が一方向に増速して回転する。
【００３４】
前記出力軸２７の中心は回転錘１０の回転中心と同一としてある。
【００３５】
前述の回転伝達機構２０は、回転錘１０が一方向に回転した時及び他方向に回転した時に出力軸２７がそれぞれ一方向に回転する。つまり、回転錘１０の往復回転によって出力軸２７を同一の方向にそれぞれ回転するので、回転錘１０の往復回転を有効利用できる。
【００３６】
前記ゼンマイ３０は図４に示すように、前記出力軸２７の回転方向（矢印ａで示す一方向）と反対に巻いてあり、そのゼンマイ３０の中心側の一端部３０ａがゼンマイ支持軸３１に連結され、外周側の他端部３０ｂが回転体３２に連結されている。
前記ゼンマイ支持軸３１が摩擦クラッチ３３を介して前述の出力軸２７に連結され、設定以上のトルクが作用するとスリップするようにしてある。
前記回転体３２はケーシング４０の上底壁４２ａに爪クラッチ３４を介して支持され、この回転体３２はゼンマイ巻きつけ方向（前述の一方向）には回転できず、ゼンマイ巻き戻し方向には回転する。
前記回転体３２に前述のファン４が設けてある。
例えば、前記回転体３２は、筒体３２ａと上面板３２ｂと下フランジ３２ｃを有した筒形状で、その筒体３２ａの内周面にゼンマイ３０の他端部３０ｂが連結され、下フランジ３２ｃが爪クラッチ３４でケーシング４０に支持され、上面板３２ｂにファン回転軸４ａが連結してある。
【００３７】
このようであるから、出力軸２７が一方向に回転するとゼンマイ支持軸３１が一方向に回転してゼンマイ３０を巻きつける。この時、回転体３２はゼンマイの巻きつけ方向には回転しない。
前記ゼンマイ３０が所定の状態まで巻きつけられると、巻き戻し力がファン４の回転抵抗に見合う値よりも大きくなり、ゼンマイ３０は巻き戻しされる。
これによって、回転体３２とともにファン４が他方向（ゼンマイ３０の巻きつけ方向と反対方向）に回転する。
【００３８】
前述のようにゼンマイ３０が巻き戻しされる際にも出力軸２７は回転するが、摩擦クラッチ３３が滑ることでゼンマイ支持軸３１と出力軸２７は相対的に回転するので、出力軸２７の回転に関係なくゼンマイ３０は巻き戻しできる。
しかも、ゼンマイ３０が巻き戻り終了した後にゼンマイ支持軸３１が慣性力で出力軸２７に対して回転できるので、ファン４がゼンマイ３０とともに慣性力で回転することが可能である。
【００３９】
前述のようにしてファン４が停止した後に、前述と同様にして回転錘１０の回転でゼンマイ３０を巻きつける。
このようであるから、ゼンマイ３０の巻き戻しを利用してファン４を間欠的に回転できる。
【００４０】
前述の出力軸２７の中心とファン４の回転中心は同一で、そのファン４の回転中心は回転錘１０の回転中心と同一であるから、回転錘１０の上方にゼンマイ３０、ファン４が同芯状に配置され、それらの設置スペースを小さくできるので、器具本体３を強固なものとすることができると共に、コンパクトにできる。
また、後述する回転錘１０の性状と共に、回転錘１０の径を大きくできることから回転錘１０の重心の位置が回転錘１０の回転中心から外周側へ離れた箇所となり、遠心力を得るのがより容易となる。また、長期に亘る回転錘１０や、ファン４などの回転による回転伝達機構２０への負担（磨耗、噛合わせのズレ、など）が軽減される。
さらに、ファン４などを占有する空間が形成しやすい構造にすることができる。
【００４１】
また、ケーシング４０に回転錘１０が取付けてあると共に、そのケーシング４０内に回転伝達機構２０が設けられ、ケーシング４０の上面にゼンマイ３０等が設けてあるので、そのケーシング４０を本体８の凹陥部８ｂ内に挿入して取付けることによって、回転錘１０、回転伝達機構２０、ゼンマイ３０等を器具本体３に取付けできる。
【００４２】
また、ケーシング４０の筒体４２が本体８の開口部８ｄに嵌まり合って、その筒体４２と本体８の開口部８ｄとの間、つまりケーシング４０と本体８との間を空気が流れることがないようにしてある。
しかも、ケーシング４０内に回転伝達機構２０が設けてあり、空洞部３ａ内の空気が回転伝達機構２０に触れることがない。
したがって、ファン４の回転によって吸込口６から吸い込まれた空気が空洞部３ａ内をスムーズに流れ、吐出口７から放出されるので、吸い込んだ空気の大部分を薬剤揮散に有効利用できる。
【００４３】
前述の実施の形態では、ファン４を回転したが、図６に示す第２の実施の形態のように、薬剤５を回転するようにしても良い。
図６に示すように、前述した回転体３２に円板５０などの回転部材を取付ける。
この円板５０に撹拌羽根５１を周方向に間隔を置いて複数設け、この円板５０が回転することで空洞部３ａ内の空気を撹拌するようにする。
前記円板５０に薬剤５を取付ける。
【００４４】
このようにすれば、前述のようにゼンマイ３０の巻き戻しで円板５０が回転する。
前記円板５０が回転することで空洞部３ａ内の空気が撹拌されると共に、その撹拌された空気に対して薬剤５が回転移動し、その薬剤５には空気が多量に触れ、多くの薬剤が揮散する。
前述のように空洞部３ａ内の空気が撹拌されることによって、吸込口６と吐出口７とから空気が空洞部３ａ内に流れ込み、流出する。
これらが相俟って、薬剤５から揮散した薬剤を大気に多量に拡散できる。
また、ファン４が不要となる。
【００４５】
なお、図示は省略するが、第１の実施の形態のファン４に薬剤５を取付け、ファン４の回転とともに薬剤５が回転するようにしても良い。
【００４６】
前述の各実施の形態では、ファン４や薬剤５を回転したが、図７に示す第３の実施の形態のように、カバー体９を回転するようにしても良い。
図７に示すように、カバー体９に撹拌羽根９ｃを設け、そのカバー体９が回転することで空洞部３ａ内の空気が撹拌されるようにする。
薬剤５を空洞部３の底部（本体８の上面）に取付ける。
前記カバー体９の表面板９ｂに軸９ｄを設け、この軸９ｄを前述の回転体３２に連結し、回転体３２とともにカバー体９が回転するようにする。
【００４７】
前述の各実施の形態では、回転伝達機構２０は回転錘１０の往復回転によって出力軸２７を同一の方向に回転するようにしたが、図８に示す第４の実施の形態のように、回転体１０の一方の回転によってのみ出力軸２７を回転し、他方の回転によっては出力軸２７が回転しないようにしても良い。
図８に示すように、回転錘１０の回転中心に爪クラッチ６０を介して出力軸２７を連結し、回転錘１０が一方向に回転する時には出力軸２７が回転し、他方向に回転した時には爪クラッチ６０が滑って出力軸２７が回転しないようにする。
【００４８】
前述の各実施の形態では、ゼンマイ３０の巻き戻りでファン４、円板５０、カバー体９を連続して回転させたが、ゼンマイ３０の巻き戻りでファン４、円板５０、カバー体９を間欠的に等速度で回転させるようにすることもできる。
【００４９】
前述の各実施の形態における第１爪クラッチ２４、第２爪クラッチ２５、爪クラッチ３４、爪クラッチ６０は、一方向には回転するが、他方向には回転しないようにするもので、ボール等を利用した一方向クラッチでも良い。
【００５０】
前述の回転錘１０について、その形状や性状は特に限定されないが、腕などを振る動作で回転運動を起し易いものが好ましい。回転モーメントが大きい、例えば回転錘の中心角がほぼ１２０度（扇形状）から１８０度（半円形状）の間からなる形状が例示できる。また遠心力が大きい、回転錘の重量をできるだけ回転中心から離して構成、例えば回転錘の外周側を肉厚に、回転中心側を肉薄に、さらには外周側を重く、回転中心側を軽くする性状が例示できる。
【００５１】
前述した第２の実施の形態での薬剤５を円板５０に取付ける、第３の実施の形態での薬剤５を空洞部３ａの底部に取付ける、などの薬剤５の取付けを、第１の実施の形態で行うようにしても良い。例えば、第１の実施の形態におけるファン４や空洞部３ａの底部に取付手段を設け、カバー体９を取り外して薬剤５をファンに取付けて使用する、又は薬剤５を空洞部３ａの底部に取付けて使用することができる。
【００５２】
前述の各実施の形態では、回転伝達機構２０をケーシング４０内に取付け、そのケーシング４０に回転錘１０を設けると共に、ゼンマイ３０を取付け、そのケーシング４０を空洞部３ａ内に突出するようにして本体８に取付けしたが、これに限ることはなく、回転錘１０、回転伝達機構２０、ゼンマイ３０は種々の取付けができる。
例えば、本体８に回転錘用軸１５を回転自在に取付けて凹陥部８ｂと空洞部３ａに突出させる。
この凹陥部８ｂに突出した部分に回転錘１０を取付け、空洞部３ａに突出した部分に主歯車２１を取付ける。
回転伝達機構２０の第１の支軸２９ａ、第２の支軸２９ｂを本体８に取付け、その回転伝達機構２０を覆うカバー体を本体８の上面に取付ける。
このカバー体に出力軸２７を支承すると共に、ゼンマイ３０を取付ける。
【００５３】
また、本体８の上面に、回転錘用軸１５、第１・第２の支軸２９ａ，２９ｂ、出力軸２７、ゼンマイ支持軸３１、ゼンマイ３０、回転体３２をそれぞれ取付ける。
このようにすれば、回転錘１０、ゼンマイ３０等が本体８の上面に並設されるから、カバー体９（器具本体３）の上下寸法を小さくできる。
【図面の簡単な説明】
【００５４】
【図１】本発明の第１の実施の形態を示す全体平面図である。
【図２】図１のＡ−Ａ拡大断面図である。
【図３】図２のＢ−Ｂ断面図である。
【図４】図３のＣ−Ｃ断面図である。
【図５】回転伝達機構の動作説明図である。
【図６】本発明の第２の実施の形態を示す断面図である。
【図７】本発明の第３の実施の形態を示す断面図である。
【図８】本発明の第４の実施の形態を示す断面図である。
【符号の説明】
【００５５】
１…薬剤拡散器具、２…着用具、３…器具本体、３ａ…空洞部、４…ファン、５…薬剤、６…吸込口、７…吐出口、１０…回転錘、２０…回転伝達機構、２７…出力軸、３０…ゼンマイ、３１…ゼンマイ支持軸、３２…回転体、３３…摩擦クラッチ、３４…爪クラッチ、５０…円板、６０…爪クラッチ。
【図１】
0005004347.tif 000002
【図２】
0005004347.tif 000003
【図３】
0005004347.tif 000004
【図４】
0005004347.tif 000005
【図５】
0005004347.tif 000006
【図６】
0005004347.tif 000007
【図７】
0005004347.tif 000008
【図８】
0005004347.tif 000009